Podtech/llm-jp-corpus-v4-ja_patent huggingface dataset:
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
配列番号１、配列番号３、配列番号１７、配列番号１９、配列番号２２、配列番号２３、配列番号２４、配列番号２５、配列番号２６、配列番号２７、配列番号２８、配列番号２９、配列番号３１、配列番号３３、配列番号３５、配列番号３７、および配列番号３９からなる群から選択されるアミノ酸配列と少なくとも９０％の配列同一性、好ましくは少なくとも９５％の配列同一性、より好ましくは少なくとも９８％の配列同一性を有する少なくとも１つのアミノ酸配列を含むタンパク質またはペプチドを含む、抗ＡＧＥ抗体であって、
前記抗体は、カルボキシメチルリジン修飾を示すタンパク質またはペプチドに結合する、
抗ＡＧＥ抗体。
【請求項２】
重鎖と軽鎖とを含む、請求項１に記載の抗ＡＧＥ抗体であって、
前記重鎖は、配列番号１、配列番号１７、配列番号２９、配列番号３１、および配列番号３３からなる群から選択されるアミノ酸配列と少なくとも９０％の配列同一性、好ましくは少なくとも９５％の配列同一性、より好ましくは少なくとも９８％の配列同一性を有するアミノ酸配列を含む、および／または
前記軽鎖は、配列番号３、配列番号１９、配列番号３５、配列番号３７、および配列番号３９からなる群から選択されるアミノ酸配列と少なくとも９０％の配列同一性、好ましくは少なくとも９５％の配列同一性、より好ましくは少なくとも９８％の配列同一性を有するアミノ酸配列を含む、および
前記抗体は、カルボキシメチルリジン修飾を示すタンパク質またはペプチドに結合する、
抗ＡＧＥ抗体。
【請求項３】
請求項１に記載の少なくとも１つのアミノ酸配列を含むタンパク質またはペプチドを含む抗ＡＧＥ抗体フラグメントであって、前記少なくとも１つのアミノ酸配列は、配列番号１、配列番号３、配列番号１７、配列番号１９、配列番号２２、配列番号２３、配列番号２４、配列番号２５、配列番号２６、配列番号２７、配列番号２８、配列番号２９、配列番号３１、配列番号３３、配列番号３５、配列番号３７、および配列番号３９からなる群から選択されるアミノ酸配列と少なくとも９０％の配列同一性、好ましくは少なくとも９５％の配列同一性、より好ましくは少なくとも９８％の配列同一性を有し、前記抗ＡＧＥ抗体フラグメントは、カルボキシメチルリジン修飾を示すタンパク質またはペプチドに結合する、抗ＡＧＥ抗体フラグメントと、
前記抗ＡＧＥ抗体フラグメントに結合された、ＡＧＥ修飾細胞の破壊を引き起こす薬剤と、
を含む抗体複合体。
【請求項４】
老化細胞を死滅させるのに使用するための、請求項１〜３のいずれかに記載の抗ＡＧＥ抗体。
【請求項５】
部分的に機能する細胞または非機能細胞を死滅させるのに使用するための、請求項１〜３のいずれか１項に記載の抗ＡＧＥ抗体または請求項４に記載の抗体。
【請求項６】
対象においてサルコペニアまたはアテローム動脈硬化症を処置するのに使用するための、請求項１〜３のいずれか１項に記載の抗ＡＧＥ抗体または請求項４もしくは５に記載の抗体であって、前記処置は、部分的に機能する細胞または非機能細胞を死滅させることを含む、請求項１〜３のいずれかに記載の抗ＡＧＥ抗体または請求項４もしくは５に記載の抗体。
【請求項７】
（ａ）部分的に機能する細胞または非機能細胞を死滅させることによって対象中の組織または臓器の再生を促進するのに使用するための、あるいは
（ｂ）部分的に機能する細胞または非機能細胞を死滅させることによって対象中の再生過程を促進するか老化の影響を克服するのに使用するための、
請求項１〜３のいずれか１項に記載の抗ＡＧＥ抗体または請求項４〜６のいずれかに記載の抗体。
【請求項８】
（ａ）対象において白内障の発症を防止するか遅延させるのに使用するための、
（ｂ）対象において脂肪組織の喪失の開始を防止するか遅延させるのに使用するための、あるいは
（ｃ）対象において脊柱前弯・後弯症の発症を防止するか遅延させるのに使用するための、
請求項１〜３のいずれか１項に記載の抗ＡＧＥ抗体または請求項４〜７のいずれかに記載の抗体。
【請求項９】
（ａ）対象において炎症または自己免疫不全を処置するのに使用するための、あるいは
（ｂ）対象における神経変性障害の処置であって、任意選択で前記対象は、ＡＤ、ＰＤ、レビー小体病、ＭＳ、プリオン病およびＡＬＳからなる群から選択される神経変性障害を有する、神経変性障害の処置に使用するための、
請求項１〜３のいずれか１項に記載の抗ＡＧＥ抗体または請求項４〜８のいずれかに記載の抗体。
【請求項１０】
対象中の癌を処置するのに使用するための、請求項１〜３のいずれか１項に記載の抗ＡＧＥ抗体または請求項４〜９のいずれかに記載の抗体。
【請求項１１】
前記処置は、前記対象の中枢神経系に前記抗ＡＧＥ抗体を投与することを含む、請求項４〜１０のいずれかに記載の抗ＡＧＥ抗体。
【請求項１２】
前記対象がＡＬＳまたはＭＤを有し、前記処置が、前記対象の筋肉に前記抗ＡＧＥ抗体を投与することを含む、請求項４〜１１のいずれかに記載の抗ＡＧＥ抗体。
【請求項１３】
前記抗体が、ヒト、マウス、ラット、ヤギ、ヒツジ、ウシ、ウマ、イヌ、ネコ、ラクダまたはアルパカからなる群から選択される種に対して実質的に非免疫原性である、請求項４〜１２のいずれかに記載の抗ＡＧＥ抗体。
【請求項１４】
（ａ）前記抗体がヒト化抗体である、および／または
（ｂ）前記抗体がモノクローナル抗体である、および／または
（ｃ）前記抗体がヒトに対して実質的に非免疫原性である、および／または
（ｄ）前記抗体が最大で９×１０−３／秒の解離速度（ｋｄ）を有する、および／または
（ｅ）前記抗体が、対象の免疫系による標的細胞の破壊を可能にする定常部を含む、および／または
（ｆ）前記抗体が二重特異性抗体である、
請求項１〜３のいずれかに記載の抗ＡＧＥ抗体または請求項４〜１３のいずれかに記載の抗体。
【請求項１５】
前記抗体は、ＡＧＥ修飾細胞の破壊を引き起こす薬剤に結合されており、任意選択で前記薬剤は、毒物、細胞傷害性薬剤、磁性ナノ粒子、および磁気スピン渦ディスクからなる群から選択される、請求項１〜３のいずれかに記載の抗ＡＧＥ抗体または請求項４〜１４のいずれかに記載の抗体。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
生体適合性親水性ポリマーで誘導体化された両親媒性脂質を約０．５〜２０モル％含有するコロイド粒子を含む医薬用組成物であって、
薬学的に活性な薬剤を含まない、組成物。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
処置を必要とする対象において腫瘍疾患を処置するための方法であって、
前記方法は、
（ａ）治療有効量の式（Ｉ）：
Ａ−シタラビン    （Ｉ）
の構造を有する化合物もしくは医薬的に許容できるその塩；または
（ｂ）治療有効量の式（Ｉ）の構造を有する化合物もしくは医薬的に許容できるその塩と、医薬的に許容できる担体と、を含む医薬組成物；
を前記対象に投与することを含み、
式中、Ａは、アミノ酸の残基であり、
シタラビンは、Ａの側鎖の官能基を介してＡに結合されており、
治療有効量の式（Ｉ）の構造を有する化合物もしくは医薬的に許容できるその塩は、前記腫瘍疾患の少なくとも１つの症状を低減する、
方法。
【請求項２】
処置を必要とする対象において腫瘍疾患の少なくとも１つの症状を低減するための方法であって、
前記方法は、
（ａ）治療有効量の式（Ｉ）：
Ａ−シタラビン    （Ｉ）
の構造を有する化合物もしくは医薬的に許容できるその塩；または
（ｂ）治療有効量の式（Ｉ）の構造を有する化合物もしくは医薬的に許容できるその塩と、医薬的に許容できる担体と、を含む医薬組成物；
を前記対象に投与することを含み、
式中、Ａは、アミノ酸の残基であり、
シタラビンは、Ａの側鎖の官能基を介してＡに結合されており、
治療有効量の式（Ｉ）の構造を有する化合物もしくは医薬的に許容できるその塩は、前記腫瘍疾患の少なくとも１つの症状を低減する、
方法。
【請求項３】
Ａ−シタラビンが、式（１）：
【化１】
2018535989.tif 000001
の構造を有する、請求項１に記載の方法。
【請求項４】
Ａ−シタラビンの治療有効量は、前記対象の表面積１ｍ２あたり０．３ｇ〜１０ｇ、前記対象の表面積１ｍ２あたり０．５ｇ〜５ｇ、または前記対象の表面積１ｍ２あたり０．５ｇ〜４．５ｇの範囲である、請求項１に記載の方法。
【請求項５】
Ａ−シタラビンは、前記対象の表面積１ｍ２あたり少なくとも０．３ｇ、１．５ｇ、３ｇ、４．５ｇまたは６ｇという１日量で投与される、請求項１に記載の方法。
【請求項６】
Ａ−シタラビンは、連続する少なくとも３日間にわたって毎日少なくとも１回投与されるか、または持続的点滴により投与される、請求項１に記載の方法。
【請求項７】
治療有効量のＡ−シタラビンが毎日投与される、請求項１に記載の方法。
【請求項８】
Ａ−シタラビンは、酢酸、塩酸、メタンスルホン酸、リン酸、クエン酸、乳酸、コハク酸、酒石酸、ホウ酸、安息香酸、トルエンスルホン酸、ベンゼンスルホン酸、アスコルビン酸、硫酸、マレイン酸、ギ酸、マロン酸、ニコチン酸およびシュウ酸からなる群から選択される有機酸または無機酸の医薬的に許容できる塩として投与される、請求項１に記載の方法。
【請求項９】
前記腫瘍疾患が血液癌である、請求項１に記載の方法。
【請求項１０】
前記血液癌が、白血病、リンパ腫、骨髄腫、または骨髄異形成症候群（ＭＤＳ）である、請求項９に記載の方法。
【請求項１１】
前記白血病が、急性骨髄性白血病（ＡＭＬ）、急性リンパ芽球性白血病（ＡＬＬ）、慢性骨髄性白血病（ＣＭＬ）、または慢性リンパ芽球性白血病（ＣＬＬ）である、請求項１０に記載の方法。
【請求項１２】
前記ＡＭＬが、新たに診断されたＡＭＬ、続発性ＡＭＬ、または再発性／難治性のＡＭＬである、請求項１１に記載の方法。
【請求項１３】
前記投与は、非経口投与、静脈内投与、または静脈内点滴による投与である、請求項１に記載の方法。
【請求項１４】
前記対象は、シタラビンによる処置を受けることができない医学的に障害のある対象である、請求項１に記載の方法。
【請求項１５】
前記医学的に障害のある対象は、高齢の対象、肝機能障害を有する対象、腎機能障害を有する対象、膵機能障害を有する対象、骨髄機能障害を有する対象、小脳機能障害を有する対象、免疫障害を有する対象、難治性もしくは再発性の血液癌を有する対象、またはそれらの任意の組み合わせである、請求項１４に記載の方法。
【請求項１６】
前記対象は５０歳以上である、請求項１５に記載の方法。
【請求項１７】
処置を必要とする対象においてウイルス疾患を処置するための方法であって、
前記方法は、
（ａ）治療有効量の式（Ｉ）：
Ａ−シタラビン    （Ｉ）
の構造を有する化合物もしくは医薬的に許容できるその塩；または
（ｂ）治療有効量の式（Ｉ）の構造を有する化合物もしくは医薬的に許容できるその塩と、医薬的に許容できる担体と、を含む医薬組成物；
を前記対象に投与することを含み、
式中、Ａは、アミノ酸の残基であり、
シタラビンは、Ａの側鎖の官能基を介してＡに結合されており、
治療有効量の式（Ｉ）の構造を有する化合物もしくは医薬的に許容できるその塩は、前記ウイルス疾患の少なくとも１つの症状を低減する、
方法。
【請求項１８】
Ａ−シタラビンが、式（１）：
【化２】
2018535989.tif 000002
の構造を有する、請求項１７に記載の方法。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
高血圧の処置または予防において使用するための、ラクトバチルス・プランタルム（Ｌａｃｔｏｂａｃｉｌｌｕｓ  ｐｌａｎｔａｒｕｍ）２８３０（ＥＣＧＣ１３１１０４０２）またはその１つもしくは複数の変異株を含む組成物。
【請求項２】
少なくとも軽度高コレステロール血症を有する個体における高血圧の処置または予防において使用するための、請求項１に記載の組成物。
【請求項３】
食品材料、栄養補助食品または飲料に組み込まれる請求項１に記載の組成物。
【請求項４】
ラクトバチルス・プランタルムが１０５ｃｆｕ／ｇ〜１０１２ｃｆｕ／ｇの範囲内の用量で投与される、請求項１〜３のいずれか一項に記載の組成物。
【請求項５】
１日１回または２回投与される、請求項１〜４のいずれか一項に記載の組成物。
【請求項６】
食事後または食事中に投与または服用される、請求項１〜５のいずれか一項に記載の組成物。
【請求項７】
カプセル化されている、請求項１〜６のいずれか一項に記載の組成物。
【請求項８】
ラクトバチルス・プランタルムが濃縮および／または凍結乾燥されている、請求項１〜７のいずれか一項に記載の組成物。
【請求項９】
ビタミン、ミネラル、植物性化学物質、酸化防止剤およびそれらの組合せから選択される１つ以上の活性成分をさらに含む、請求項１〜８のいずれか一項に記載の組成物。
【請求項１０】
１つ以上の追加高血圧低減剤をさらに含む、請求項１〜９のいずれか一項に記載の組成物。
【請求項１１】
以下の物質、スタチン、ステロールおよび／またはスタノールのうちの１つ以上と組み合わせて投与または服用される、請求項１〜１０のいずれか一項に記載の組成物。
【請求項１２】
４℃以下で保存される、請求項１〜１１のいずれか一項に記載の組成物。
【請求項１３】
前記ラクトバチルス・プランタルムの株の成長に特異的なプレバイオティック成長培地をさらに含む、請求項１〜１２のいずれか一項に記載の組成物。
【請求項１４】
前記プレバイオティック成長培地が、逆酵素反応により、前記ラクトバチルス・プランタルムの株によって生産されうる、請求項１３に記載の組成物。
【請求項１５】
前記プレバイオティック成長培地がオリゴ糖を含む、請求項１３または１４に記載の組成物。
【請求項１６】
前記オリゴ糖がガラクト−オリゴ糖（ＧＯＳ）を含む、請求項１５に記載の組成物。
【請求項１７】
１日１回または２回、１×１０５〜１０１２細胞の範囲内の量で投与される、高血圧を予防し、処置し、または調整する方法において使用するための、ラクトバチルス・プランタルム２８３０（ＥＣＧＣ１３１１０４０２）、またはその１つもしくは複数の変異株。
【請求項１８】
活性株約１２０ｍｇの量で投与される、請求項１７に記載のラクトバチルス・プランタルム。
【請求項１９】
朝食および夕食の直前、食中、または食後に投与される、請求項１７または１８に記載のラクトバチルス・プランタルム。
【請求項２０】
１つ以上のプロバイオティクスおよび／またはプレバイオティクスと共に投与される、請求項１７〜１９のいずれか一項に記載のラクトバチルス・プランタルム。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
免疫不全者もしくはＨＩＶとの重感染者における潜在性Ｍｙｃｏｂａｃｔｅｒｉｕｍ  ｔｕｂｅｒｃｕｌｏｓｉｓ（Ｍｔｂ）感染症の診断のための組成物であって、
ＥＳＡＴ６およびＣＦＰ−１０の２つのＭｔｂ抗原のカクテルを含む、組成物。
【請求項２】
前記２つの抗原が、適切な有機体、例えばＬａｃｔｏｃｏｃｃｕｓ  ｌａｃｔｉｓ由来のものの中でクローン化、産生および精製されたものである、請求項１に記載の組成物。
【請求項３】
リコンビナントダブルＥＳＡＴ６およびリコンビナントＣＦＰ−１０の２つの抗原のカクテルを含む、請求項１又は２に記載の組成物。
【請求項４】
前記抗原が媒体中で混合されたものである、請求項１〜３のいずれか一項に記載の組成物。
【請求項５】
リコンビナントダブルＥＳＡＴ−６およびリコンビナントＣＦＰ１０が重量比１：１で混合される、請求項４に記載の組成物。
【請求項６】
リコンビナントダブルＥＳＡＴ−６およびリコンビナントＣＦＰ１０が重量比１：２０〜２０：１で混合される、請求項４に記載の組成物。
【請求項７】
前記抗原の量が各抗原について０．２５〜２．０μｇ／ｍＬである、請求項１〜６のいずれか一項に記載の組成物。
【請求項８】
前記媒体が０．０１％のポリソルベート２０および０．５％のフェノールを含有するリン酸緩衝生理食塩水（ＰＢＳ）を含む、請求項４〜７のいずれか一項に記載の組成物。
【請求項９】
前記診断が、前記組成物を皮内注射することによる免疫細胞の刺激に対する反応で生じる皮膚の反応の大きさを測定することを含む、請求項１〜８のいずれか一項に記載の組成物。
【請求項１０】
前記組成物の投与後４８〜７２時間に反応の大きさが測定される、請求項９に記載の組成物。
【請求項１１】
１または複数のさらなるＭｔｂ抗原を含む、請求項１〜１０のいずれか一項に記載の組成物。
【請求項１２】
前記１または複数のさらなるＭｔｂ抗原が、ＲＤ１拘束性抗原、ＲＤ１関連抗原、Ｒｖ２５６４、Ｒｖ３８６５、Ｒｖ３８７７、Ｒｖ２３４８、Ｒｖ３６１４およびＲｖ３６１６からなる群から選択される、請求項１１に記載の組成物。
【請求項１３】
前記免疫不全者もしくはＨＩＶとの重感染者が小児又は成人である、請求項１〜１２のいずれか一項に記載の組成物。
【請求項１４】
前記免疫不全者もしくはＨＩＶとの重感染者が、Ｍｔｂ感染症又はＴＢ疾患が疑われる者である、請求項１〜１３のいずれか一項に記載の組成物。
【請求項１５】
投与後の硬結が予め定められたカットオフ値よりも大きい場合に、前記免疫不全者もしくはＨＩＶとの重感染者が、潜在性Ｍｔｂ感染を有すると診断される、請求項１〜１４のいずれか一項に記載の組成物。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
マイクロカプセル組成物であって、マイクロカプセルのシェルが、シェルに共有結合した少なくとも１種の永久カチオン基を含有する少なくとも１種のポリウレアを含み、および、コアが、少なくとも１種の香料原料を含み、ここでマイクロカプセルのシェルがグアニジニウム基を含まない、前記マイクロカプセル組成物。
【請求項２】
カチオン基が、窒素含有基およびリン含有基、好ましくは第四級アンモニウム基から選択される、請求項１に記載のマイクロカプセル組成物。
【請求項３】
マイクロカプセルが、少なくとも１種の永久カチオン基を有する、以下から選択される少なくとも１種の重合形態のα，β−不飽和カルボニル化合物を含む、請求項１または２に記載のマイクロカプセル組成物：
−  α，β−エチレン性不飽和モノおよびジカルボン酸とアミノアルコールとのエステル、
−  α，β−エチレン性不飽和モノおよびジカルボン酸と、少なくとも１種の第一級または第二級アミノ基を有するジアミンとのアミド、
−  Ｎ，Ｎ−ジアリルアミン、Ｎ，Ｎ−ジアリル−Ｎ−アルキルアミンおよびそれらの誘導体、
−  ビニル−およびアリル−置換窒素複素環およびそれらの混合物。
【請求項４】
重合形態のα，β−不飽和カルボニル化合物の量が、マイクロカプセルのカプセルシェルの総重量に基づき１〜５０重量％である、請求項３に記載のマイクロカプセル組成物。
【請求項５】
マイクロカプセルが、２〜９０μｍの体積平均直径を有する、請求項１〜４のいずれか一項に記載のマイクロカプセル組成物。
【請求項６】
マイクロカプセルの総重量に基づき、マイクロカプセルのコアが６０〜９７重量％であり、マイクロカプセルのシェルが４０〜３重量％である、請求項１〜５のいずれか一項に記載のマイクロカプセル組成物。
【請求項７】
水性分散液の形態である、請求項１〜６のいずれか一項に記載のマイクロカプセル組成物。
【請求項８】
マイクロカプセルが、６〜１００ｍＶのゼータ電位を有する、請求項１〜７のいずれか一項に記載のマイクロカプセル組成物。
【請求項９】
マイクロカプセル組成物の調製方法であって、マイクロカプセルのシェルが、シェルに共有結合した少なくとも１種のカチオン基を含有する少なくとも１種のポリウレアを含み、およびコアが、少なくとも１種の香料原料を含み、以下のステップ：
ａ）少なくとも１種の保護コロイドを水溶液中に含む、プレミックス（Ｉ）を提供すること、
ｂ）少なくとも１種のポリイソシアナートおよび少なくとも１種の香料原料を含有する親油性相を含む、プレミックス（ＩＩ）を提供すること、
ｃ）プレミックス（Ｉ）とプレミックス（ＩＩ）を、エマルジョン（ＩＩＩ）が形成されるまで混合すること、
ｄ）少なくとも１種の多官能性アミンを含有する水溶液（ＩＶ）を、ステップｃ）で形成されたエマルジョンに添加すること、
ｅ）ステップｄ）で得た混合物を少なくとも５０℃の温度に加熱することにより、マイクロカプセルの分散液を形成すること、および
ｆ）少なくとも１種の永久カチオン基を有する少なくとも１種のαβ−不飽和カルボニル化合物を、添加すること、
を含む、前記方法。
【請求項１０】
ｇ）ステップｆ）で得たマイクロカプセルを、乾燥させること、
をさらに含む、請求項９に記載の方法。
【請求項１１】
プレミックス（ＩＩ）が、少なくとも１種の非イオン性ポリイソシアナート（Ａ）および少なくとも１種のアニオン変性イソシアナート（Ｂ）を含み、ここで、アニオン変性イソシアナート（Ｂ）が、好ましくは少なくとも１つのスルホン酸基を分子中に含有する、請求項９または１０に記載の方法。
【請求項１２】
イソシアナート（Ａ）と（Ｂ）の重量比が、１０：１〜１：１０、好ましくは５：１〜１：５、特に３：１〜１：１である、請求項１１に記載の方法。
【請求項１３】
多官能性アミンが、特に、少なくとも１種のポリエチレンイミンを含むか、またはこれからなる、請求項９〜１２のいずれか一項に記載の方法。
【請求項１４】
請求項９〜１３のいずれか一項に記載の方法によって得られる、マイクロカプセル組成物。
【請求項１５】
請求項１〜８に記載のマイクロカプセル、または請求項９〜１４に記載の方法によって得たマイクロカプセルの、
−  パーソナルケア組成物、エアケア組成物、ホームケア組成物またはランドリーケア組成物、
における、使用。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
式Ｉ：
【化１】
2018535949.tif 000001
式中、
AはA2またはA3であり;
UはU1であり;
LはL1、L2またはL3であり;
A2は
【化２】
2018535949.tif 000002
であり;
A3は
【化３】
2018535949.tif 000003
であり;
U1は
【化４】
2018535949.tif 000004
であり、式中、
X8〜X10は独立してNおよびC-R14から選ばれ;
G1およびG2は独立してNおよびCから選ばれ;
V1およびV2は独立してN、O、SおよびC-R15から選ばれ;
WはV3、V4 - V5またはV4 = V5であり、ここでV3〜V5は独立してN、O、SおよびC-R16から選ばれ、ここでV4はV1と結合しており;そして
V5はV2と結合しており;
L1は
【化５】
2018535949.tif 000005
であり;
L2は
【化６】
2018535949.tif 000006
であり、式中、
Y2は空白、-O-、-S-、-N(R18b)-または-C(R18b)(R19b)-であり;
L3は-C(R2c)(R3c)-または-NHCH2CH2-であり;
Qは、それぞれ無置換または1〜3個のR4a基で置換された
【化７】
2018535949.tif 000007
であり；
Zは、それぞれ無置換または1〜3個のR5a基で置換された
【化８】
2018535949.tif 000008
であり；
R1〜R3は独立してHおよびC1-C6アルキルから選ばれ、ここでC1-C6アルキルは無置換または1〜3個のハライド、-CN、-OH、C1-C3アルキル、C3-C5シクロアルキル、またはC1-C3アルコキシ基で置換されており;
R14〜R16は独立してH、ハライド、-CN、-OH、アミノ、C1-C6アルキル、C3-C6シクロアルキル、C1-C6アルコキシおよびC1-C6アルキルチオから選ばれ、ここでアミノ、C1-C6アルキルおよびC1-C6アルコキシは無置換または1〜3個のハライド、C1-C3アルキルまたはC3-C6シクロアルキル基で置換されており;
R4aおよびR5aは独立してハライド、-CN、および-OHから選ばれ、またはR4aおよびR5aは独立してC1-C8アルキル、C3-C8シクロアルキル、C1-C8アルコキシ、C2-C8アルケニル、C2-C8アルキニル、C1-C8アルキルスルホニル、C1-C8アシル、アミノアシル、C1-C8アシルアミノ、C1-C8アルキルカルバモイルアミノ、C1-C8アルコキシカルバモイル、C1-C8アルキルスルホンアミド、C1-C8アルキルアミノスルホニル、C2-C8アルコキシアシル、および3-8員ヘテロ環から選ばれ、これらの全ては無置換または1〜3個のハライド、-OH、-CN、C1-C3アルキル、C1-C3アルコキシルまたはC3-C8シクロアルキル基で置換されており、ここで3-8員ヘテロ環はN、OまたはSから選ばれる1個以上のヘテロ原子を含み;
R2mはH、重水素、三重水素、ハライド、-OH、-CN、C1-C8アルキル、C3-C8シクロアルキルまたはC1-C8アルコキシであり;
R2bおよびR3bは独立してH、無置換またはハライド、-CN、-OH、C1-C6アルキル、C3-C5シクロアルキルおよびC1-C3アルコキシから選ばれる1〜3個の基で置換されたC1-C6アルキルから選ばれ;
R4bおよびR5bは独立してH、ハライド、-CN、アミノ、C1-C8アルキル、C3-C8シクロアルキル、C1-C8アルコキシ、およびC1-C3アルキルアミノから選ばれ;
R16b〜R19bは独立してHおよび無置換またはハライドで置換されたC1-C6アルキルから選ばれ;
R2cおよびR3cは独立してHおよび無置換または1〜3個のハライドで置換されたC1-C6アルキルから選ばれる
の化合物、あるいはその薬学的に許容可能な塩、溶媒和物、立体異性体または互変異性体。
【請求項２】
Uが
【化９】
2018535949.tif 000009
であり、ここでX20〜X23が独立してNまたはC-R15である請求項１の化合物。
【請求項３】
Uが無置換または1〜3個のR15基で置換された
【化１０】
2018535949.tif 000010
から選ばれる請求項１の化合物。
【請求項４】
Uが
【化１１】
2018535949.tif 000011
から選ばれる請求項１の化合物。
【請求項５】
化合物が
【化１２】
2018535949.tif 000012
【化１３】
2018535949.tif 000013
【化１４】
2018535949.tif 000014
【化１５】
2018535949.tif 000015
から選ばれる請求項１の化合物。
【請求項６】
治療有効量の請求項１の化合物および薬学的に許容可能な担体を含有する医薬組成物。
【請求項７】
請求項1の化合物、またはその医薬組成物を、必要に応じて第２の治療剤と組み合わせて含有する、Wnt-媒介疾患を患う哺乳動物におけるWnt-媒介疾患の治療に使用するための医薬組成物であって、該疾患が、全身性硬化症、皮膚線維症、突発性肺線維症、腎線維症、肝線維症、薬物誘発線維症、放射線誘発線維症、大腸癌、乳癌、頭頸部扁平上皮癌、食道扁平上皮癌、非小細胞肺癌、胃癌、膵臓癌、白血病、リンパ腫、神経芽細胞腫、網膜芽細胞腫、肉腫、骨肉腫、軟骨肉腫、ユーイング肉腫、横紋筋肉腫、脳腫瘍、ウィルムス腫瘍、基底細胞癌、黒色腫、頭頸部癌、子宮頸癌および前立腺癌からなる群から選ばれる細胞増殖性疾患である、医薬組成物。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
オゾンとの反応によって、カルボニル酸素を有する活性化合物に活性化される不活性化合物。
【誤訳訂正書】
【提出日】令和1年11月13日(2019.11.13)
【誤訳訂正１】
【訂正対象書類名】特許請求の範囲
【訂正対象項目名】全文
【訂正方法】変更
【訂正の内容】
【特許請求の範囲】
【請求項１】
抗原と複合体を形成したメラニン高分子を含む、免疫賦活組成物。
【請求項２】
メラニンが可溶性メラニンである、請求項1記載の免疫賦活組成物。
【請求項３】
抗原の存在下で、メラニン前駆体を重合することによって得られやすい、請求項1または2記載の免疫賦活組成物。
【請求項４】
重合が、メラニン前駆体および抗原を酸化剤に曝露することによって実施される、請求項3記載の免疫賦活組成物。
【請求項５】
抗原およびメラニン前駆体が、重合前に共有結合している、請求項3または4記載の免疫賦活組成物。
【請求項６】
抗原およびメラニン前駆体が、重合前に共有結合していない、請求項3または4記載の免疫賦活組成物。
【請求項７】
メラニン前駆体が、L-ドパ、L-チロシン、D-ドパ、6−ヒドロキシ-ドパ、ドパキノン、シクロドパ、ドパクロム、DHICA、DHI、ドパミン-o-キノン、ドパミン、ロイコドパミノクロム（leukodopaminochrome）およびドパミノクロム（dopaminochrome）からなる群において選ばれる、請求項3〜6のいずれか一項記載の免疫賦活組成物。
【請求項８】
アジュバントをさらに含む、請求項1〜7のいずれか一項記載の免疫賦活組成物。
【請求項９】
アジュバントが、抗原と複合体を形成したメラニン高分子と複合体を形成している、請求項8項記載の免疫賦活組成物。
【請求項１０】
アジュバントが、抗原と複合体を形成したメラニン高分子と複合体を形成していない、請求項8項記載の免疫賦活組成物。
【請求項１１】
アジュバントが、ミョウバン、エマルジョンPRRリガンド、TLR3およびRLRリガンド、TLR4リガンド、TLR5リガンド、TLR7/8リガンド、TLR9リガンド、特にポリI:CおよびCpG ODNからなる群において選択される、請求項8〜10のいずれか一項記載の免疫賦活組成物。
【請求項１２】
抗原が、MHCエピトープおよびB細胞エピトープからなる群において選ばれる少なくとも1つのエピトープを含む、請求項1〜11のいずれか一項記載の免疫賦活組成物。
【請求項１３】
宿主に投与されたときに、抗原に対する免疫応答を引き起こすための免疫賦活組成物の調製のための、メラニンまたはメラニン前駆体の使用。
【請求項１４】
インビボまたはインビトロで標的抗原に対する免疫応答を増加させるまたは引き起こすための使用のための、メラニンまたはメラニン前駆体。
【請求項１５】
標的抗原を発現している細胞に関係する疾患から動物を保護するためのワクチンとしての使用のためのメラニンおよび標的抗原を含む、免疫賦活組成物。
【請求項１６】
以下の工程：(a)メラニン前駆体および抗原を含む組成物を提供する工程；(b)メラニン前駆体の重合を誘導する工程を含む、免疫賦活組成物を得るための方法であって、それによって、患者に投与した場合またはインビトロで細胞とインキュベートした場合に、抗原に対する免疫応答を引き起こし得る免疫賦活組成物を得る、方法。
【請求項１７】
重合が、酸化重合である、請求項16記載の方法。
【請求項１８】
工程(a)の組成物における抗原およびメラニン前駆体が共有結合している、請求項16または17記載の方法。
【請求項１９】
工程(a)の組成物における抗原およびメラニン前駆体が共有結合していない、請求項16または17記載の方法。
【請求項２０】
メラニン前駆体が、L-ドパ、L-チロシン、D-ドパ、6−ヒドロキシ-ドパ、ドパキノン、シクロドパ、ドパクロム、DHICA、DHI、ドパミン-o-キノン、ドパミン、ロイコドパミノクロム（leukodopaminochrome）およびドパミノクロム（dopaminochrome）からなる群において選ばれる、請求項16〜19のいずれか一項記載の方法。
【請求項２１】
(a)の組成物が、アジュバントをさらに含有する、請求項16〜20のいずれか一項記載の方法。
【請求項２２】
アジュバントが、工程(b)の後に得られた組成物に添加される、請求項16〜20のいずれか一項記載の方法。
【誤訳訂正２】
【訂正対象書類名】明細書
【訂正対象項目名】００４２
【訂正方法】変更
【訂正の内容】
【００４２】  本発明は、メラニンが、抗原と一緒に投与された場合に、当該抗原に対する免疫を誘導するための強力なアジュバントとして使用され得るという事実に基づく。メラニンおよび抗原が複合体を形成する場合、特に抗原がメラニン中に捕捉された場合が好ましい。
【誤訳訂正３】
【訂正対象書類名】明細書
【訂正対象項目名】０１７６
【訂正方法】変更
【訂正の内容】
【０１７６】  本発明は、また、以下の工程：  (a)メラニン前駆体および抗原を含む組成物を提供する工程；  (b)メラニン−抗原複合体を形成するために、メラニン前駆体の重合を誘導する工程を含む、免疫賦活組成物を得るための方法に関し、それによって、患者に投与した場合またはインビトロで細胞とインキュベートした場合に、抗原に対する免疫応答を引き起こし得る免疫賦活組成物を得る（これは、その後患者または動物に投与され得る初回抗原刺激を細胞に与えるものである）。
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
- アーティカイン、ブピバカイン、シンコカイン、エチドカイン、レボブピバカイン、リドカイン、メピバカイン、オキセタカイン、プリロカイン、ロピバカイン、トリカインおよびトリメカインからなる群から選択されるアミド型局所麻酔薬;
- ヒトアルブミン;
- 遺伝子組み換え型ヒアルロン酸ならびに遺伝子組み換え型ヒアルロン酸と水溶性のセルロースエーテルからなる群から選択される粘度制御剤；
- ナトリウム、カリウム、マグネシウム、カルシウム、酢酸イオン、塩素イオン、硫酸イオンからなる群から選択される1以上のイオンを任意に含む水
を含むか、または実質的にからなる、女性対象の不妊症を治療するための医薬組成物。
【請求項２】
クエン酸塩、グルコースおよび／またはアミノ酸をさらに含む、請求項1に記載の組成物。
【請求項３】
前記ヒトアルブミンが遺伝子組み換え起源のものである、請求項1または2に記載の組成物。
【請求項４】
前記局所麻酔薬がその医薬的に許容な塩の形態にある、請求項1〜3のいずれか1つに記載の組成物。
【請求項５】
前記の医薬的に許容な塩が塩酸塩、臭化水素酸塩、硫酸塩から選択される、請求項4に記載の組成物。
【請求項６】
前記局所麻酔薬がリドカインまたはリドカイン塩酸塩である、請求項1〜5のいずれか1つに記載の組成物。
【請求項７】
前記組成物が、0.1 mg/ml〜2.5 mg/ml、特に約1.0 mg/mlの局所麻酔薬を含む、請求項1〜6のいずれか1つに記載の組成物。
【請求項８】
前記組成物が、0.1 mg/ml〜20.0 mg/mlの遺伝子組み換え型アルブミンを含む、請求項1〜7のいずれか1つに記載の組成物。
【請求項９】
前記組成物が、0.02 mg/ml〜5.0 mg/mlのヒアルロン酸を含む、請求項1〜8のいずれか1つに記載の組成物。
【請求項１０】
前記組成物が、0.1 mM/L〜5.0 mM/Lのクエン酸塩を含む、請求項2〜9のいずれか1つに記載の組成物。
【請求項１１】
前記組成物が、約5 mg/mlのグルコースを含む、請求項2〜10のいずれか1つに記載の組成物。
【請求項１２】
前記セルロースエーテルが、ヒドロキシプロピル-メチル セルロース（HPMC）である、請求項1〜11のいずれか1つに記載の組成物。
【請求項１３】
女性対象の卵管通気のための、請求項1〜12のいずれか1つに記載の組成物。
【請求項１４】
前記女性対象が原因不明の不妊症と診断されている、請求項1〜12のいずれか1つに記載の組成物。
【請求項１５】
前記女性対象が子宮内膜症と診断されている、請求項1〜12および14のいずれか1つに記載の組成物。
【請求項１６】
卵管通気による投与用である、請求項1〜12、14および15のいずれか1つに記載の組成物。
【請求項１７】
カテーテルによる腹腔内への点滴による投与用である、請求項1〜12、14および15のいずれか1つに記載の組成物。
【請求項１８】
シリンジによる腹腔内への注射による投与用である、請求項1〜12、14および15のいずれか1つに記載の組成物。
【請求項１９】
腹腔内の外科的沈着による投与用である、請求項1〜12、14および15のいずれか1つに記載の組成物。
【請求項２０】
腹壁を経る経皮吸収による投与用である、請求項1〜12、14および15のいずれか1つに記載の組成物。
【請求項２１】
ナトリウム、カリウム、マグネシウム、カルシウム、酢酸イオン、塩素イオン、硫酸イオンからなる群から選択される1以上のイオンが、再調製のための寒冷沈降物または前記水の一部を形成する、水での再調製のための乾燥粉末の形態、特に寒冷沈降物の形態にある、請求項1〜12のいずれか1つに記載の医薬組成物。
【請求項２２】
生分解性の多孔質ポリマー微粒子または生分解性ポリマーシェルを含む微粒子中に取り込まれたその水成分以外の請求項1〜12のいずれか1つに記載の組成物を含む、女性対象の不妊症を治療するための持続放出組成物。
【請求項２３】
多孔質ポリマーまたはポリマーシェルが、ポリラクチド、ポリグリコリド、ポリ[ラクチド-コ-グリコリド]から選択される生分解性ポリマーを含む、請求項22に記載の組成物。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ジエンエラストマーＥｄ、および少なくとも２個のヒドロキシル官能基によって置換された少なくとも１個の芳香族基を保持する官能性ジエンポリマーを含む、少なくとも１つのポリマーマトリックスをベースとするゴム組成物であって、ジエンエラストマーＥｄが、ポリマーマトリックスの５０質量％超を占め、官能性ジエンポリマーが、ポリマーマトリックスの最大で３０質量％を占め、前記ヒドロキシル官能基のうち２個がビシナルであることを特徴とする、ゴム組成物。
【請求項２】
官能性ジエンポリマーが、少なくとも２個のヒドロキシル官能基によって置換された数個の芳香族基を保持し、前記ヒドロキシル官能基のうち２個がビシナルである、請求項１に記載のゴム組成物。
【請求項３】
２個のビシナルのヒドロキシル官能基が、それぞれ、官能性ジエンポリマーの鎖への芳香族基の連結を確実にする結合または基に対して、メタ位およびパラ位である、請求項１または２に記載のゴム組成物。
【請求項４】
芳香族基が、式（Ｉ）を有するジヒドロキシアリール基であり、式中、記号*は、官能性ジエンポリマーの鎖への直接的または間接的な連結を表す、請求項１から３のいずれか１項に記載のゴム組成物。
【化１】
2018535299.tif 000001
【請求項５】
官能性ジエンポリマーが、ポリブタジエン、ポリイソプレン、１，３−ブタジエンコポリマー、イソプレンコポリマーおよびこれらの混合物によって構成されるポリマーの群から選択される、請求項１から４のいずれか１項に記載のゴム組成物。
【請求項６】
ジエンエラストマーＥｄが、ポリブタジエン、ポリイソプレン、１，３−ブタジエンコポリマー、イソプレンコポリマーおよびこれらの混合物によって構成される高度不飽和エラストマーの群から選択される、請求項１から５のいずれか１項に記載のゴム組成物。
【請求項７】
補強充填剤を含む、請求項１から６のいずれか１項に記載のゴム組成物。
【請求項８】
ゴム組成物と接触する状態になることが意図される金属性表面とともに補強要素を含有する半仕上げ物品であって、補強要素が、請求項１から７のいずれか１項に記載のゴム組成物で覆われている、半仕上げ物品。
【請求項９】
タイヤ用の強化補強材である、請求項８に記載の半仕上げ物品。
【請求項１０】
請求項８または９に記載の半仕上げ物品を含む、タイヤ。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
ローダミン色素の合成方法であって、
下記の式（Ｉ）、
2018535294.tif 000001
（Ｉ）
（式中、
Ｒ1及びＲ2は、それぞれ独立して、水素、アルキル、又はＲ1a−ＣＯ−であり、Ｒ1aは、水素、Ｃ1−Ｃ4アルキル、Ｃ1−Ｃ4ハロアルキル、又はＣ1−Ｃ4アルコキシであるか、又はＲ1及びＲ2は、それらと結合している原子と一体となって、３〜８員環を形成し、
Ｒcは、水素、アルキル、アルコキシ、ハロアルキル及びハロゲンからなる群から選択され、
Ｒa及びＲbは、それぞれ独立して、水素、アルキル、アルコキシ、ハロアルキル及びハロゲンからなる群から選択されているか、あるいは
Ｒ1及びＲaは、それらと結合している原子と一体となって、５〜８員環を形成しており、
Ｒ2及びＲbは、それらと結合している原子と一体となって、５〜８員環を形成している。）
の化合物を、
下記の式（ＩＩ）、
2018535294.tif 000002
（ＩＩ）
（式中、
Ｒは、ハロゲン、アルキル、ハロアルキル、シアノ、カルボキシ、アルコキシ、ハロアルコキシ、アルコキシカルボニル、（カルボキシル）ヘテロアルキル、アルキルカルボニル、アルコキシアルキル、シクロアルキル、アリール、アリールアルキル、ヘテロアリール、ヘテロアリールアルキル、スルホネート、スルホンアミド及びアミドからなる群から選択され、
ｎは、０、１、２、３又は４であり、
Ｘは、ＯＲ3であり、Ｒ3は、水素である。）
の化合物と反応させて、前記ローダミン色素を形成させることを含み、前記式（Ｉ）の化合物と、前記式（ＩＩ）の化合物とを酸化剤の存在下で反応させ、
前記ローダミン色素が、下記の式（ＩＩＩ）、
2018535294.tif 000003
（ＩＩＩ）
（式中、
Ｒは、ハロゲン、アルキル、ハロアルキル、シアノ、カルボキシ、アルコキシ、ハロアルコキシ、アルコキシカルボニル、（カルボキシ）ヘテロアルキル、アルキルカルボニル、アルコキシアルキル、シクロアルキル、アリール、アリールアルキル、ヘテロアリール、ヘテロアリールアルキル、スルホネート、スルホンアミド及びアミドからなる群から選択されており、
ｎは、０、１、２、３又は４であり、
Ｒ1及びＲ2は、それぞれ独立して、水素、又はアルキル、もしくはＲ1a−ＣＯ−であり、Ｒ1aは、水素、Ｃ1−Ｃ4アルキル、Ｃ1−Ｃ4ハロアルキル、もしくはＣ1−Ｃ4アルコキシであるか、又はＲ1とＲ2は、それらと結合している原子と一体となって、３〜８員環を形成しており、
Ｒcは、水素、アルキル、アルコキシ、ハロアルキル及びハロゲンからなる群から選択され、
Ｒa及びＲbは、それぞれ独立して、水素、アルキル、アルコキシ、ハロアルキル及びハロゲンからなる群から選択されているか、あるいは
Ｒ1及びＲaは、それらと結合している原子と一体となって、５〜８員環を形成しており、
Ｒ2及びＲbは、それらと結合している原子と一体となって、５〜８員環を形成している。）
の化合物であることを特徴とする方法。
【請求項２】
Ｒが、水素、ハロゲン、アルキル、ハロアルキル、シアノ、カルボキシ、アルコキシカルボニル及びアルキルカルボニルからなる群から選択され、任意に、Ｒが、水素又はカルボキシである、請求項１に記載の方法。
【請求項３】
Ｒが、前記式（ＩＩ）の化合物の４又は５位に結合している、請求項１又は２に記載の方法。
【請求項４】
前記式（ＩＩ）の化合物が、
2018535294.tif 000004
からなる群から選択されている、請求項１〜３のいずれか１項に記載の方法。
【請求項５】
Ｒ1及びＲ2が、それぞれ独立して、Ｃ1−Ｃ4アルキルであり、及び／又は、任意に、Ｒcが、水素である、請求項１〜４のいずれか１項に記載の方法。
【請求項６】
Ｒ1及びＲaが、それらと結合している原子と一体となって、６又は７員環を形成しており、Ｒ2及びＲbが、それらと結合している原子と一体となって、６又は７員環を形成している、請求項１〜５のいずれか１項に記載の方法。
【請求項７】
前記式（Ｉ）の化合物が、
2018535294.tif 000005
いるとおりである、請求項１〜６のいずれか１項に記載の方法。
【請求項８】
少なくとも１つの溶媒中で、前記式（Ｉ）の化合物及び前記式（ＩＩ）の化合物を反応させ、任意に、前記溶媒が、ハロゲン化溶媒、水又はこれらを組み合わせたものである、請求項１〜７のいずれか１項に記載の方法。
【請求項９】
前記溶媒が、フッ素化溶媒であり、及び／又は、任意に、前記溶媒が、ヘキサフルオロイソプロパノール又は２，２，２−トリフルオロエタノールである、請求項８に記載の方法。
【請求項１０】
前記酸化剤が、酸素ガスであり、任意に、前記式（Ｉ）の化合物と、前記式（ＩＩ）の化合物との反応を通して、酸素を通じる、請求項１〜９のいずれか１項に記載の方法。
【請求項１１】
周囲温度を上回る温度で、前記式（Ｉ）の化合物と、前記式（ＩＩ）の化合物とを反応させる、請求項１〜１０のいずれか１項に記載の方法。
【請求項１２】
前記式（Ｉ）の化合物及び前記式（ＩＩ）の化合物を約３０℃〜約１００℃の温度に加熱し、任意に、前記式（Ｉ）の化合物及び前記式（ＩＩ）の化合物を約７０℃〜約８０℃の温度まで加熱する、請求項１〜１１のいずれか１項に記載の方法。
【請求項１３】
前記ローダミン色素を精製することを更に含む、請求項１〜１２のいずれか１項に記載の方法。
【請求項１４】
実質的に５−置換ローダミン副生成物のない６−置換ローダミン色素を生成させるか、又は、実質的に６−置換ローダミン副生成物のない、５−置換ローダミン色素を生成させる、請求項１〜１３のいずれか１項に記載の方法。
【請求項１５】
前記ローダミン色素が、
2018535294.tif 000006
からなる群から選択されている、請求項１〜１４のいずれか１項に記載の方法。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
少なくとも１種の強化フィラーと、可塑化樹脂と、少なくとも１種の修飾ジエンエラストマーを含むエラストマーマトリックスとをベースとする強化ゴム組成物であって、少なくとも１種の修飾ジエンエラストマーが、
ａ）修飾ジエンエラストマーの合計質量に対して少なくとも７０質量％の直鎖状ジエンエラストマーであり、シラノールを得るために、部分的にまたは完全に加水分解されていてもよいアルコキシシラン基により、鎖の中央で優位に官能基化されており、アルコキシシラン基が、強化フィラーと相互作用することが可能である別の官能基を有してもよく、アルコキシシラン基のケイ素原子がジエンエラストマーの主鎖に位置する、直鎖状ジエンエラストマー、
ｂ）修飾ジエンエラストマーの合計質量に対して０質量％超かつ３０質量％までの、星型分岐状ジエンエラストマー、
で構成され、
前記修飾ジエンエラストマーのＭｏｏｎｅｙ粘度が、５０から８０の範囲であり、そのガラス転移温度（Ｔｇ）が、-１００℃から-８０℃の範囲である、強化ゴム組成物。
【請求項２】
星型分岐状ジエンエラストマーｂ）が、スズベースまたはケイ素ベースの星型分岐状エラストマーであることを特徴とする、請求項１に記載の組成物。
【請求項３】
強化フィラーと相互作用することが可能である官能基が、環状もしくは非環状第一級、第二級もしくは第三級アミン、イソシアネート、イミン、シアノ、チオール、カルボキシレート、エポキシドまたは第一級、第二級もしくは第三級ホスフィンから選択される官能基であることを特徴とする、請求項１または２に記載の組成物。
【請求項４】
強化フィラーと相互作用することが可能である他の官能基、およびエラストマーに結合しているケイ素原子が、飽和もしくは不飽和、環状もしくは非環状、直鎖状もしくは分岐状二価Ｃ1-Ｃ18脂肪族炭化水素系ラジカル、または二価Ｃ6-Ｃ18芳香族炭化水素系ラジカルと定義されるスペーサー基を介して互いに接続し、前記スペーサー基が、１個もしくは複数の芳香族ラジカル、および／または１個もしくは複数のヘテロ原子を含んでもよいことを特徴とする、請求項１から３のいずれか１項に記載の組成物。
【請求項５】
修飾ジエンエラストマーが、１から０．６５の範囲のｃｉｓ-１，４-結合／ｔｒａｎｓ-１，４-結合のモル比を有し、ジエン部に対して、８から１５質量％の範囲の含有量のビニル単位を有するブタジエンホモポリマーであることを特徴とする、請求項１から４のいずれか１項に記載の組成物。
【請求項６】
修飾ジエンエラストマーが、ジエンエラストマーの合計質量に対して、０から５質量％の間の含有量のビニル芳香族単位、およびまた、ジエン部に対して、８から１５質量％の範囲の含有量のビニル単位を有するブタジエンおよびビニル芳香族モノマーのコポリマーであることを特徴とする、請求項１から５のいずれか１項に記載の組成物。
【請求項７】
ジエンエラストマーａ）およびｂ）が、官能基化および星型分岐の前に、同一のミクロ構造および同一のマクロ構造を有することを特徴とする、請求項１から６のいずれか１項に記載の組成物。
【請求項８】
修飾ジエンエラストマーが、以下のステップ：
-  リビングジエンエラストマーを形成するための、重合開始剤の存在下における、少なくとも１種の共役ジエンモノマーのアニオン性重合と、
-  官能基化剤対重合開始剤のモル比が、０．４０から０．７５の範囲である、官能基化剤との反応によるエラストマーの修飾であって、官能基化剤が、以下の式１
【化１】
2018535295.tif 000001
2018535295.tif 000002
式1
（式中、
・Ｒは、飽和もしくは不飽和、環状もしくは非環状二価Ｃ1-Ｃ18脂肪族炭化水素系ラジカルまたはＣ6-Ｃ18芳香族炭化水素系ラジカルであり、
・Ｘは、水素原子、または強化フィラーと相互作用することが可能である官能基であり、
・Ｒ’ラジカルは、置換されているまたは非置換であり、同一であるかまたは異なり、Ｃ1-Ｃ10、またはさらにＣ1-Ｃ8アルキル基を表す）
に相当する修飾と、
を含む方法により得られることを特徴とする、請求項１から７のいずれか１項に記載の組成物。
【請求項９】
修飾ジエンエラストマーが、以下の特性：
-  星型分岐状ジエンエラストマーｂ）が、強化フィラーと相互作用することが可能である別の官能基を有する、ケイ素原子により分岐している、３つに分岐した星型分岐状エラストマーであり、ケイ素原子が、ジエンエラストマーの３つの分岐により置換されている、
-  強化フィラーと相互作用することが可能である他の官能基が、第三級アミンである、
-  スペーサー基が、直鎖状Ｃ1-Ｃ18炭化水素系ラジカルである、
-  ケイ素原子を含む官能基が、シラノールを得るために部分的にまたは完全に加水分解されていてもよいメトキシシランまたはエトキシシランである、
-  ジエンエラストマーが、ブタジエンポリマーである、
-  ジエンエラストマーが、修飾ジエンエラストマーの合計質量に対して、少なくとも７５質量％の直鎖状ジエンエラストマーであって、鎖の中央で優位に官能基化されている直鎖状ジエンエラストマーａ）、および最大で２５質量％の星型分岐状ジエンエラストマーｂ）を含む、
のいずれかの少なくとも１つ、少なくとも２つ、少なくとも３つ、少なくとも４つまたは少なくとも５つを有することを特徴とする、請求項１から８のいずれか１項に記載の組成物。
【請求項１０】
タイヤ用ゴム製の中間品であって、請求項１から９のいずれか１項に記載の架橋可能なまたは架橋したゴム組成物を含むことを特徴とする、中間品。